(57)【要約】【課題】機器の運用管理を容易にすることに貢献すること。【解決手段】設計支援装置は、１又は２以上の被設定機器と通信する、支援装置通信部と、ネットワーク設計情報、及び各被設定機器の構成定義言語を記憶する、支援装置記憶部と、ネットワーク設計情報、及び各被設定機器の構成定義言語に基づいて、各被設定機器の構成定義情報を生成する、構成定義情報生成部と、各被設定機器に対応する構成定義情報を、各被設定機器に送信する、構成定義情報設定部と、を備える。【選択図】図１
2016029535.tif 000002
【特許請求の範囲】
【請求項１】
１又は２以上の被設定機器と通信する、支援装置通信部と、
ネットワーク設計情報、及び前記各被設定機器の構成定義言語を記憶する、支援装置記憶部と、
前記ネットワーク設計情報、及び各被設定機器の前記構成定義言語に基づいて、前記各被設定機器の構成定義情報を生成する、構成定義情報生成部と、
前記各被設定機器に対応する前記構成定義情報を、前記各被設定機器に送信する、構成定義情報設定部と、
を備える設計支援装置。
【請求項２】
前記ネットワーク設計情報に基づいて、前記各被設定機器のホップ数を算出し、所定のホップ数の前記被設定機器に機器認識要求を送信し、前記被設定機器から応答情報を受信した場合、当該応答情報に基づいて、当該応答情報の送信元の前記被設定機器を認識する、機器認識部をさらに備える、請求項１に記載の設計支援装置。
【請求項３】
前記機器認識部は、ホップ数に基づいて、前記各被設定機器の認識順序を決定する、請求項２に記載の設計支援装置。
【請求項４】
前記機器認識部は、２以上の前記被設定機器のホップ数が同一である場合、当該被設定機器のポート番号、前記被設定機器を識別するための情報の少なくともいずれかに基づいて、前記認識順序を決定する、請求項３に記載の設計支援装置。
【請求項５】
前記支援装置記憶部は、前記各被設定機器の機器情報をさらに記憶し、
ユーザの操作に基づいて、１又は２以上の前記被設定機器の接続関係を決定し、前記接続関係及び前記機器情報に基づいて、前記ネットワーク設計情報を生成する、設計情報生成部をさらに備える、請求項１乃至４のいずれか一項に記載の設計支援装置。
【請求項６】
設計支援装置と、
１又は２以上の被設定機器と、を含むネットワークシステムであって、
前記設計支援装置は、
１又は２以上の被設定機器と通信する、支援装置通信部と、
ネットワーク設計情報、及び前記各被設定機器の構成定義言語を記憶する、支援装置記憶部と、
前記ネットワーク設計情報、及び各被設定機器の前記構成定義言語に基づいて、前記各被設定機器の構成定義情報を生成する、構成定義情報生成部と、
前記各被設定機器に対応する前記構成定義情報を、前記各被設定機器に送信する、構成定義情報設定部と、
を備え、
前記被設定機器は、
前記設計支援装置、自機器と異なる前記被設定機器の少なくともいずれかと通信する、機器通信部と、
前記設計支援装置から送信された前記構成定義情報が、自機器に対する前記構成定義情報である場合に、自機器に前記構成定義情報を適用する、機器制御部と、
を備えるネットワークシステム。
【請求項７】
前記設計支援装置は、
所定のホップ数の前記被設定機器に、機器認識要求を送信する、機器認識部をさらに備え、
前記機器制御部は、機器通信部が前記機器認識要求を受信した場合、所定のホップ数を満たすか否かを判断し、所定のホップ数である場合、当該機器認識要求の送信元に、応答情報を返信し、所定のホップ数ではない場合、当該被設定機器に接続する被設定機器に、当該機器認識要求を転送する、請求項６に記載のネットワークシステム。
【請求項８】
前記機器認識部は、前記被設定機器から応答情報を受信した場合、当該応答情報に基づいて、当該応答情報の送信元の前記被設定機器を認識する、請求項７に記載のネットワークシステム。
【請求項９】
１又は２以上の被設定機器と通信する、支援装置通信工程と、
ネットワーク設計情報、及び前記各被設定機器の構成定義言語を記憶する、支援装置記憶工程と、
前記ネットワーク設計情報、及び各被設定機器の前記構成定義言語に基づいて、前記各被設定機器の構成定義情報を生成する、構成定義情報生成工程と、
前記各被設定機器に対応する前記構成定義情報を、前記各被設定機器に送信する、構成定義情報設定処理と、
を含む設計支援方法。
【請求項１０】
設計支援装置を制御するコンピュータに実行させるプログラムであって、
１又は２以上の被設定機器と通信する、支援装置通信処理と、
ネットワーク設計情報、及び前記各被設定機器の構成定義言語を記憶する、支援装置記憶処理と、
前記ネットワーク設計情報、及び各被設定機器の前記構成定義言語に基づいて、前記各被設定機器の構成定義情報を生成する、構成定義情報生成処理と、
前記各被設定機器に対応する前記構成定義情報を、前記各被設定機器に送信する、構成定義情報設定処理と、
を実行するプログラム。
【発明の詳細な説明】
【技術分野】
【０００１】
本発明は、設計支援装置、ネットワークシステム、設計支援方法、及びプログラムに関する。
【背景技術】
【０００２】
昨今、多種多様なネットワーク機器が利用されている。そのため、ネットワークの設計担当者、運用担当者等は、ネットワーク機器に関する専門的な知識が求められる。
【０００３】
特許文献１においては、ネットワーク構成図と、ネットワーク機器の定義内容と、を紐づけた情報を表示する技術が記載されている。
【先行技術文献】
【特許文献】
【０００４】
【特許文献１】特開２００８−１９１９９８号公報
【発明の概要】
【発明が解決しようとする課題】
【０００５】
なお、上記先行技術文献の開示を、本書に引用をもって繰り込むものとする。以下の分析は、本発明の観点からなされたものである。
【０００６】
上記の通り、ネットワークの設計、運用においては、ネットワーク機器に関する専門的な知識が求められる。
【０００７】
特許文献１に記載された技術では、ネットワーク構成図と、ネットワーク機器の定義内容を、紐づけた情報を作成し、表示する。そして、特許文献１に記載された技術では、ネットワークの設計担当者等は、表示された情報を見ながら、各ネットワーク機器を設定する必要がある。そのため、特許文献１に記載された技術では、ネットワーク設計担当者が、各ネットワーク機器を設定、及び運用管理する技術（知識）を有しない場合、各ネットワーク機器を設定、及び運用管理できない。
【０００８】
そこで、本発明は、機器の運用管理を容易にすることに貢献する設計支援装置、ネットワークシステム、設計支援方法、及びプログラムを提供することを目的とする。
【課題を解決するための手段】
【０００９】
本発明の第１の視点によれば、１又は２以上の被設定機器と通信する、支援装置通信部と、ネットワーク設計情報、及び前記各被設定機器の構成定義言語を記憶する、支援装置記憶部と、前記ネットワーク設計情報、及び各被設定機器の前記構成定義言語に基づいて、前記各被設定機器の構成定義情報を生成する、構成定義情報生成部と、前記各被設定機器に対応する前記構成定義情報を、前記各被設定機器に送信する、構成定義情報設定部と、を備える設計支援装置が提供される。
【００１０】
本発明の第２の視点によれば、設計支援装置と、１又は２以上の被設定機器と、を含むネットワークシステムであって、
前記設計支援装置は、１又は２以上の被設定機器と通信する、支援装置通信部と、ネットワーク設計情報、及び前記各被設定機器の構成定義言語を記憶する、支援装置記憶部と、前記ネットワーク設計情報、及び各被設定機器の前記構成定義言語に基づいて、前記各被設定機器の構成定義情報を生成する、構成定義情報生成部と、前記各被設定機器に対応する前記構成定義情報を、前記各被設定機器に送信する、構成定義情報設定部と、を備え、
前記被設定機器は、前記設計支援装置、自機器と異なる前記被設定機器の少なくともいずれかと通信する、機器通信部と、前記設計支援装置から送信された前記構成定義情報が、自機器に対する前記構成定義情報である場合に、自機器に前記構成定義情報を適用する、機器制御部と、を備えるネットワークシステムが提供される。
【００１１】
本発明の第３の視点によれば、１又は２以上の被設定機器と通信する、支援装置通信工程と、ネットワーク設計情報、及び前記各被設定機器の構成定義言語を記憶する、支援装置記憶工程と、前記ネットワーク設計情報、及び各被設定機器の前記構成定義言語に基づいて、前記各被設定機器の構成定義情報を生成する、構成定義情報生成工程と、前記各被設定機器に対応する前記構成定義情報を、前記各被設定機器に送信する、構成定義情報設定処理と、を含む設計支援方法が提供される。
なお、本方法は、機器のネットワーク設計を支援する設計支援装置という、特定の機械に結び付けられている。
【００１２】
本発明の第４の視点によれば、設計支援装置を制御するコンピュータに実行させるプログラムであって、１又は２以上の被設定機器と通信する、支援装置通信処理と、ネットワーク設計情報、及び前記各被設定機器の構成定義言語を記憶する、支援装置記憶処理と、前記ネットワーク設計情報、及び各被設定機器の前記構成定義言語に基づいて、前記各被設定機器の構成定義情報を生成する、構成定義情報生成処理と、前記各被設定機器に対応する前記構成定義情報を、前記各被設定機器に送信する、構成定義情報設定処理と、を実行するプログラムが提供される。
なお、本プログラムは、コンピュータが読み取り可能な記憶媒体に記録することができる。記憶媒体は、半導体メモリ、ハードディスク、磁気記録媒体、光記録媒体等の非トランジェント（non-transient）なものとすることができる。本発明は、コンピュータプログラム製品として具現することも可能である。
【発明の効果】
【００１３】
本発明の各視点によれば、機器の運用管理を容易にすることに貢献する設計支援装置、ネットワークシステム、設計支援方法、及びプログラムが提供される。
【図面の簡単な説明】
【００１４】
【図１】一実施形態の概要を説明するための図である。
【図２】ネットワークシステムの全体構成の一例を示すブロック図である。
【図３】設計支援装置の内部構成の一例を示すブロック図である。
【図４】設計対象のネットワークの一例を示す図である。
【図５】ネットワーク設計図作成ツールの一例を示す図である。
【図６】ネットワーク設計図作成ツールの一例を示す図である。
【図７】ネットワーク設計図作成ツールの一例を示す図である。
【図８】ネットワーク設計図作成ツールの一例を示す図である。
【図９】ネットワーク設計図作成ツールの一例を示す図である。
【図１０】ネットワーク設計図作成ツールの一例を示す図である。
【図１１】ネットワーク設計図作成ツールの一例を示す図である。
【図１２】ネットワーク設計図作成ツールの一例を示す図である。
【図１３】ネットワーク設計図作成ツールの一例を示す図である。
【図１４】ネットワーク設計図作成ツールの一例を示す図である。
【図１５】ネットワーク設計図作成ツールの一例を示す図である。
【図１６】ネットワーク設計図作成ツールの一例を示す図である。
【図１７】ネットワーク設計図作成ツールの一例を示す図である。
【図１８】被設定機器の内部構成の一例を示す図である。
【図１９】設計支援装置と、被設定機器とを、ＲＳ２３２Ｃコネクタを介したシリアル接続の一例を示す図である。
【図２０】設計支援装置の動作の一例を示すフローチャートである。
【図２１】設計支援装置と、被設定機器との接続関係の一例を示す図である。
【図２２】設計支援装置と、被設定機器との接続関係の一例を示す図である。
【図２３】設計支援装置、及び被設定機器の動作の一例を示すフローチャートである。
【図２４】被設定機器の動作の一例を示すフローチャートである。
【図２５】設定支援装置の動作の一例を示すフローチャートである。
【図２６】設計支援装置、及び被設定機器の動作の一例を示すフローチャートである。
【図２７】設計支援装置と、被設定機器との接続関係の一例を示す図である。
【図２８】設計対象外のネットワークを含む、ネットワークの一例を示す図である。
【図２９】設計対象外のネットワークを含む、ネットワークの一例を示す図である。
【発明を実施するための形態】
【００１５】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１６】
上述の通り、機器の運用管理を容易にすることに貢献する設計支援装置が望まれる。
【００１７】
そこで、一例として、図１に示す設計支援装置１０００を提供する。設計支援装置１０００は、支援装置通信部１００１と、支援装置記憶部１００２と、構成定義情報生成部１００３と、構成定義情報設定部１００４と、を備える。
【００１８】
支援装置通信部１００１は、１又は２以上の被設定機器と通信する。ここで、被設定機器とは、設計支援装置１０００の設計対象の機器を意味する。被設定機器は、通信機能を備える機器であるとし、機器の種別等、その詳細は問わない。
【００１９】
支援装置記憶部１００２は、ネットワーク設計情報１０２１、及び各被設定機器の構成定義言語１０２２を記憶する。ここで、ネットワーク設計情報１０２１とは、被設定機器の配置、被設定機器間の伝送速度、被設定機器の種別、被設定機器の構成等、ネットワークを構成するために必要な情報を意味する。また、構成定義言語１０２２とは、１又は２以上の被設定機器において、各被設定機器の設定に必要な設定コマンド、設定パラメータ等を定義するための情報を意味する。そして、構成定義言語１０２２は、被設定機器に応じて異なっていてもよい。
【００２０】
構成定義情報生成部１００３は、ネットワーク設計情報１０２１、及び各被設定機器の前記構成定義言語１０２２に基づいて、各被設定機器の構成定義情報を生成する。ここで、構成定義情報とは、各被設定機器を設定するための設定コマンド、設定パラメータ等の情報を意味する。
【００２１】
構成定義情報設定部１００４は、各被設定機器に対応する構成定義情報を、各被設定機器に送信する。その結果、構成定義情報を受信した被設定機器は、自機器に、受信した構成定義情報を適用できる。
【００２２】
従って、設計支援装置１０００は、１又は２以上の被設定機器に対応する構成定義情報を生成し、当該構成定義情報を、対応する被設定機器に送信する。そのため、ユーザは、
設計支援装置１０００を用いることで、各被設定機器に対して、構成定義情報を設定する必要がない。また、被設定機器の設定に関して、知識が乏しいユーザであっても、設計支援装置１０００を用いることで、容易に、１又は２以上の機器を設定できる。従って、設計支援装置１０００は、機器の運用管理を容易にすることに貢献する。
【００２３】
［第１の実施形態］
第１の実施形態について、図面を用いてより詳細に説明する。
【００２４】
図２は、本実施形態に係るネットワークシステム１の全体構成の一例を示すブロック図である。ネットワークシステム１は、設計支援装置２と、１又は２以上の被設定機器３とを含んで構成される。なお、本実施形態に係るネットワークシステム１を、図２に示す構成に限定する趣旨ではない。
【００２５】
設計支援装置２は、被設定機器３を含むネットワークに関するネットワーク設計情報を制御する。また、設計支援装置２は、ネットワーク設計情報に基づいて、各被設定機器３の構成定義情報を生成する。さらに、設計支援装置２は、被設定機器３における構成定義情報の適用処理を制御する。例えば、設計支援装置２は、ＰＣ（Personal Computer）等、コンピュータ機器であっても良い。
【００２６】
また、設計支援装置２は、１又は２以上の被設定機器３と通信する。そこで、設計支援装置２は、通信用ポートを備える。具体的には、設計支援装置２は、シリアル接続用ポート、及び／又はＴｅｌｎｅｔ用ポートを備えていることが好ましい。例えば、設計支援装置２は、ＲＳ（Recommended Standard）２３２Ｃコネクタ（シリアル接続用ポート）、及び／又はＲＪ４５コネクタ（無線通信用ポート）を備えていても良い。
【００２７】
被設定機器３は、設計支援装置２、及び／又は他の被設定機器３と通信する。そこで、被設定機器３は、１又は２以上の通信用ポートを備える。被設定機器３も、シリアル接続用ポート、及び／又は無線通信用ポートを備えていることが好ましい。例えば、被設定機器３は、ＲＳ２３２Ｃコネクタ（シリアル接続用ポート）、及び／又はＲＪ４５コネクタ（無線通信用ポート）を備えていても良い。
【００２８】
そして、被設定機器３は、設計支援装置２、及び／又は他の被設定機器３から、自機器に対応する構成定義情報を受信する。また、被設定機器３は、設計支援装置２からの指示に応じて、受信した構成定義情報を、自機器に適用する。なお、設計支援装置２、及び被設定機器３の各通信用ポートは、所定のインターフェースケーブル（光ケーブル、ＬＡＮ（Local Area Network）ケーブル等）を介して、接続されることは勿論である。
【００２９】
次に、設計支援装置２の内部構成について詳細に説明する。
【００３０】
図３は、設計支援装置２の内部構成の一例を示すブロック図である。設計支援装置２は、支援装置通信部２１０と、支援装置記憶部２２０と、支援装置制御部２３０と、を含んで構成される。支援装置制御部２３０は、設計情報生成部２３１と、構成定義情報生成部２３２と、機器認識部２３３と、構成定義情報設定部２３４と、を含んで構成される。図３は、本実施形態に係る設計支援装置２に関するモジュールを主に記載する。
【００３１】
図３に示す各モジュールは、設計支援装置２に搭載されたコンピュータに、そのハードウェアを用いて、設計支援装置２の処理を実行させるコンピュータプログラムにより実現しても良い。
【００３２】
支援装置通信部２１０は、被設定機器３との通信を制御する。具体的には、支援装置通信部２１０は、上述の通信用ポートを介して、信号を送受信する。なお、以下の説明では、簡素化して「支援装置制御部２３０が、支援装置通信部２１０を介して信号を送信する」ことを、「支援装置制御部２３０が信号を送信する」と記載する。
【００３３】
支援装置記憶部２２０は、設計支援装置２の動作に必要な情報を記憶する。具体的には、支援装置記憶部２２０は、ネットワーク設計情報、及び各被設定機器の構成定義言語を記憶する。
【００３４】
また、支援装置記憶部２２０は、各被設定機器３の機器情報を記憶する。ここで、各被設定機器３の機器情報とは、被設定機器３の機器種別、構成適宜言語、機器名、メーカ名等を含む情報である。ネットワーク設計情報、構成定義言語の詳細は後述する。
【００３５】
また、支援装置記憶部２２０は、１又は２以上のプロトコルに関する情報を記憶しても良い。さらに、支援装置記憶部２２０は、プロトコルに関する情報と、機器情報とを対応付けて記憶しても良い。または、支援装置記憶部２２０は、プロトコルに関する情報を含めた機器情報を記憶しても良い。
【００３６】
また、支援装置記憶部２２０は、各種プログラムを記憶する。例えば、支援装置記憶部２２０は、後述するネットワーク設計図作成ツールのプログラムを記憶する。
【００３７】
また、設計支援装置２は、操作装置２１、及び表示装置２２と接続するものとする。操作装置２１は、ユーザの操作を受け付ける装置であり、キーボード、マウス、タッチパネル等である。操作装置は、ユーザの操作を受け付けることができれば、その詳細は問わない。また、表示装置２２は、ユーザに情報を提示する装置であり、液晶パネル、有機ＥＬ（Electro Luminescence）パネル等を含んで構成される。表示装置２２は、ユーザに情報を提示できれば、その詳細は問わない。
【００３８】
支援装置制御部２３０は、設計支援装置２の全体を制御すると共に、設計支援装置２の
図３に示す各部を制御する。例えば、支援装置制御部２３０はＣＰＵ（Central Processing Unit）を用いて実現可能である。また、設計支援装置２は、操作装置２１の出力信号を取得し、操作装置２１の出力に応じて、処理を実行する。また、支援装置制御部２３０は、表示装置２２に画像信号を送信する。
【００３９】
以下、支援装置制御部２３０の内部構成について詳細に説明する。
【００４０】
設計情報生成部２３１は、操作装置２１が受け付けるユーザの操作に基づいて、ネットワーク設計情報を生成する。具体的には、設計情報生成部２３１は、ユーザの操作に基づいて、１又は２以上の被設定機器の接続関係を決定し、接続関係及び機器情報に基づいて、ネットワーク設計情報を生成する。
【００４１】
そして、設計情報生成部２３１は、生成したネットワーク設計情報に基づいて、ネットワーク設計図を生成し、表示部２２にネットワーク設計図の画像信号を送信する。以下の説明では、ネットワーク設計図とは、被設定機器の配置、及び被設定機器間の接続関係等を図示した、図面を示すものとする。
【００４２】
具体的には、設計情報生成部２３１は、支援装置記憶部２２０が記憶する、ネットワーク設計図作成ツールのプログラムに基づいて、ネットワーク設計情報の生成、ネットワーク設計図の生成等の処理を実行する。ネットワーク設計図作成ツールの詳細については後述する。
【００４３】
構成定義情報生成部２３２は、ネットワーク設計情報、及び各被設定機器３の構成定義言語に基づいて、各被設定機器３の構成定義情報を生成する。ここで、構成定義情報は、構成定義言語、設定コマンド、設定パラメータの少なくともいずれかを含むことが好ましい。
【００４４】
さらに、構成定義情報は、対応する被設定機器３における正規ログインに必要な情報を含むことが好ましい。ここで、正規ログインとは、各被設定機器３の製品マニュアルにおいて記載されている方法を用いて、ログインすることを意味する。例えば、ログインを行うために、ポートの設定が必要であるとする。その場合、構成定義情報は、ログインに必要である、ポートの設定に関する情報を含む。
【００４５】
具体的には、構成定義情報生成部２３２は、構成定義条件、及び支援装置記憶部２２０が記憶する構成定義言語に基づいて、各被設定機器３に対応する、構成定義情報を生成する。ここで、構成定義条件とは、操作装置２１を用いて、ネットワーク設計図の生成時に指定された接続条件、被設定機器３の指定された種別等の情報を意味する。
【００４６】
機器認識部２３３は、ネットワーク設計情報に基づいて、各被設定機器３のホップ数を算出し、所定のホップ数の被設定機器３に機器認識要求を送信する。そして、機器認識部２３３は、被設定機器３から応答情報を受信した場合、当該応答情報に基づいて、当該応答情報の送信元の被設定機器を認識する。ホップ数とは、設計支援装置２から、各被設定機器３までの距離を示す情報である。被設定機器３の認識方法、及び応答情報の詳細については、後述する。
【００４７】
ここで、設計支援装置２と、被設定機器３とが、通信可能な状態であるとする。例えば、設計支援装置２と、被設定機器３とがインターフェースケーブル等を用いて、接続された状態であるとする。その場合、機器認識部２３３は、ネットワーク設計情報に基づいて、認識対象の被設定機器３に、所定の信号（以下、機器認識要求と呼ぶ）を送信する。
【００４８】
具体的には、機器認識部２３３は、認識対象の被設定機器３のホップ数と、設計支援装置を識別するための情報とを付与した情報を、機器認識要求として生成する。設計支援装置を識別するための情報は、例えば、設計支援装置２のＭＡＣ（Media Access Control）アドレスであっても良い。
【００４９】
なお、機器認識部２３３は、ホップ数に基づいて、各被設定機器３の認識順序を決定しても良い。つまり、機器認識部２３３は、被設定機器３に対する機器認識要求の送信順序を、ホップ数に基づいて決定しても良い。その場合、機器認識部２３３は、送信対象の被設定機器３のホップ数を、機器認識要求に付与して、当該機器認識要求を送信する。
【００５０】
例えば、機器認識部２３３は、ホップ数の大きい被設定機器３から順に、機器認識要求を送信しても良い。または、機器認識部２３３は、ホップ数の小さい被設定機器３から順に、機器認識要求を送信しても良い。あるいは、機器認識部２３３は、予め定めたホップ数の順番に基づいて、被設定機器３に機器認識要求を送信しても良い。
【００５１】
また、機器認識部２３３は、２以上の被設定機器３のホップ数が同一である場合、当該被設定機器３のポート番号、被設定機器３を識別するための情報の少なくともいずれかに基づいて、認識順序を決定しても良い。被設定機器３を識別するための情報は、例えば、被設定機器３のＭＡＣアドレスであっても良い。
【００５２】
そして、機器認識要求を受信した被設定機器３は、応答情報を生成し、設計支援装置２に対して、応答情報を送信する。応答情報は、接続状態を示す情報（以下、リンクアップステータスと呼ぶ）、機器認識要求を受信したポート番号、当該受信したポートのＭＡＣアドレス等を含むことが好ましい。または、応答情報は、機器認識要求を受信した被設定機器３のＭＡＣアドレスを含んでも良い。また、リンクアップステータスは、インターフェースケーブル等が接続済みであるか否かを示す情報であっても良く、接続状態を示す情報であればその詳細は問わない。なお、以下、応答情報に付与された、機器認識要求を受信したポート番号、当該ポートのＭＡＣアドレス、被設定機器３のＭＡＣアドレス等を、設定対象識別情報と呼ぶ。
【００５３】
支援装置通信部２１０が応答情報を受信した場合、機器認識部２３３は、応答情報を解析し、応答情報を生成した被設定機器３を特定する。具体的には、機器認識部２３３は、設定対象識別情報に基づいて、当該応答情報を生成した被設定機器３を特定する。より具体的には、機器認識部２３３は、応答情報に付与されたポート番号、当該ポートのＭＡＣアドレス等に基づいて、当該応答情報を生成した被設定機器３を特定する。
【００５４】
構成定義情報設定部２３４は、各被設定機器３に対する構成定義情報の設定を制御する。具体的には、構成定義情報設定部２３４は、各被設定機器３に対応する構成定義情報を、各被設定機器３に送信する。構成定義情報の設定処理の詳細は後述する。
【００５５】
ここで、構成定義情報の送信元、及び送信先が明確であることが望ましい。そこで、例えば、構成定義情報設定部２３４は、送信元の設計支援装置２のＭＡＣアドレスと、設定対象識別情報を構成定義情報に付与して、当該構成定義情報を、被設定機器３に送信しても良い。
【００５６】
そして、被設定機器３は、更新定義情報を受信した場合、受信した構成定義情報を、自機器に適用する。そして、被設定機器３は、構成定義情報の設定完了後に、設定完了通知を設計支援装置に送信する。支援装置通信部２１０が設定完了通知を受信した場合、構成定義情報設定部２３４は、当該設定完了通知の送信元の被設定機器３の構成定義情報の適用が終了したと判断する。
【００５７】
以下、ネットワーク設計図作成ツールについて説明する。
【００５８】
まず、以下の説明においては、図４に示すネットワークを設計するとする。具体的には、設計対象のネットワークは、拠点Ａ〜Ｄを含むとする。そして、拠点ＡＢ間は、１Ｇ（giga）ビット毎秒の伝送速度である、電気信号通信ケーブルを２０本用いて、接続するとする。そして、拠点Ａは、プロトコルＡを用いて動作するネットワークであるとする。また、拠点ＢＤ間は、１０Ｇビット毎秒の伝送速度である、光通信ケーブルを２本用いて、接続するとする。そして、拠点Ｂ、及び拠点Ｄは、プロトコルＣを用いて動作するネットワークであるとする。また、拠点ＣＤ間は、１Ｇビット毎秒の伝送速度である、光通信ケーブルを１０本用いて接続する。そして、拠点Ｃは、プロトコルＢで動作するネットワークであるとする。
【００５９】
図５は、設計情報生成部２３１が生成する表示画面４００の一例を示す図である。図５に示す表示画面４００は、設計材料選択枠４０１と、ネットワーク設計図描画用枠４０２と、構成定義確認用枠４０３とを含んで構成される。なお、設計情報生成部２３１は、操作装置２１に対するユーザの操作に基づいて、表示装置２２に、以下で説明する設計材料選択枠、ネットワーク設計図描画用枠、構成定義確認用枠を表示するものとする。
【００６０】
図６は、設計情報確認枠４１１、及びネットワーク設計図描画用枠４１２の一例を示す図である。図６において、設計情報確認枠４１１には、設計対象の種類の候補が表示されている。具体的には、図６の場合、設計情報確認枠４１１に、設定対象の種類の候補として、「拠点」、「家屋」、「ビルディング」、「サーバルーム」が表示されている。
【００６１】
ユーザは、表示された設計対象の種類の候補から、所望の設計対象の種類を、操作装置２１を用いて選択する。例えば、ユーザが、設計対象の種類として、「拠点」を選択したとする。その場合、設計情報生成部２３１は、図６に示すように、設計対象のモデル画像（図６の場合、「拠点Ａ」を示す雲型の画像）をネットワーク設計図描画用枠４１２に表示する。そして、設計情報生成部２３１は、ユーザの操作に基づいて、ネットワーク設計図描画用枠４１２内で、設計対象のモデル画像の位置を変更する。
【００６２】
図７は、ネットワーク設計図描画用枠４１３の一例を示す図である。具体的には、図７に示すネットワーク設計図描画用枠４１３においては、拠点Ａ〜Ｄを示す雲型の画像が、設計対象のモデル画像として表示されている。図７に示すように、設計情報生成部２３１は、ユーザの操作に応じて、設計対象のモデル画像の数、及び設計対象のモデル画像の位置を決定する。
【００６３】
図８は、ネットワーク設計図描画用枠４１３の一例を示す図である。具体的には、図８に示すネットワーク設計図描画用枠４１３は、拠点Ａ（４１４）〜拠点Ｄ（４１７）に、条件１００〜３００を設定するための表示画面を示す。ユーザは、操作装置２１を用いて、ネットワーク設計図描画用枠４１３に、図８に示す通りに、条件１００〜３００を配置する。
【００６４】
図８の場合、条件１００は、拠点Ａ（４１４）と、拠点Ｂ（４１５）とを接続する条件である。そして、条件１００は、１Ｇビット毎秒の伝送速度である、電気信号通信ケーブルを２０本用いて、接続することを意味する。また、条件３００は、拠点Ｂ（４１５）と、拠点Ｄ（４１７）とを接続する条件である。そして、条件３００は、１０Ｇビット毎秒の伝送速度である、光通信ケーブルを２本用いて、接続することを意味する。また、条件２００は、拠点Ｃ（４１６）と、拠点Ｄ（４１７）とを接続する条件である。そして、条件２００は、１Ｇビット毎秒の伝送速度である、光通信ケーブルを１０本用いて接続することを意味する。
【００６５】
設計情報生成部２３１が、各拠点間の条件を設定したとする。その場合、設計情報生成部２３１は、支援装置記憶部２２０が記憶する機器情報に基づいて、各条件を満たす被設定機器３を選択する。さらに、設計情報生成部２３１は、支援装置記憶部２２０が記憶する機器情報に基づいて、選択された被設定機器３におけるポート番号を決定しても良い。
【００６６】
このように、設計情報生成部２３１が、設定された条件に基づいて、機器を選択する。そのため、ユーザが、機器を選択する能力（知識）を十分に有しない場合であっても、設計支援装置２は、条件に適合する機器を決定できる。
【００６７】
図９は、各拠点に対して被設定機器３が選択された、ネットワーク設計図描画用枠４１３の一例を示す図である。具体的には、図９においては、拠点Ａ（４１４）に対して、条件１００を満たす機器４１８が、被設定機器３として選択されている。また、図９においては、拠点Ｂ（４１５）に対して、条件１００を満たす機器４１９が、被設定機器３として選択されている。また、図９においては、拠点Ｂ（４１５）に対して、条件２００を満たす機器４２０が、被設定機器３として選択されている。また、図９においては、拠点Ｄ（４１７）に対して、条件３００を満たす機器４２３が、被設定機器３として選択されている。また、図９においては、拠点Ｄに対して、条件２００を満たす機器４２２が、被設定機器３として選択されている。また、図９においては、拠点Ｃ（４１６）に対して、条件２００を満たす機器４２１が、被設定機器３として選択されている。
【００６８】
また、設計情報生成部２３１は、ユーザの操作に基づいて、各拠点において使用されるプロトコルを決定する。具体的には、ユーザが、操作装置２１を用いて、ネットワーク設計図描画用枠４１３上で、各拠点において使用されるプロトコルを設定する。
【００６９】
そして、設計情報生成部２３１は、各拠点において使用されるプロトコルを設定後に、被設定機器３を再決定しても良い。
【００７０】
図１０は、各拠点において使用するプロトコルが選択された、ネットワーク設計図描画用枠４１３の一例を示す図である。具体的には、図１０においては、拠点Ａ（４１４）に対して、「条件１０１：プロトコルＡ」が設定されている。また、図１０においては、拠点Ｃ（４１６）に対して、「条件２０１：プロトコルＢ」が設定されている。また、図１０においては、拠点Ｂ（４１５）、拠点Ｄ（４１７）に対して、「条件３０１：プロトコルＣ」が設定されている。
【００７１】
図１１は、プロトコルに関する条件を設定後に、被設定機器３が再決定された、ネットワーク設計図描画用枠４１３の一例を示す図である。図１１においては、図９に示す機器４１８に替えて、条件１００及び条件１０１を満たす機器４１８−２が選択されている。また、図１１においては、図９に示す機器４２１に替えて、条件２００及び条件２０１を満たす機器４２１−２が選択されている。また、図１１においては、図９に示す機器４１９〜４２２に替えて、条件３００及び条件３０１を満たす機器４１９−２〜４２３−２が選択されている。
【００７２】
設計情報生成部２３１は、機器の機器情報等を設定するための、設定画面を生成、表示しても良い。そして、ユーザは、表示された当該設定画面を用いて、各機器の機器情報を設定する。また、ユーザは、表示された当該設定画面を用いて、ネットワーク設計図描画用枠における、各機器の形状を設定しても良い。
【００７３】
図１２は、機器の機器情報等を設定するための、設定画面４２８の一例を示す図である。図１２において、設定画面４２８は、機器の種別、スペック（即ち仕様）、コマンド（即ち設定コマンド）、インターフェース（即ち通信用ポート）、プロトコル、収容条件（即ち、機器の使用環境に関する条件）の設定欄を含む。そして、図１２の場合、機器の種別として、メーカ、機器種別等を設定可能である。
【００７４】
設計情報生成部２３１は、設定画面４２８の設定内容に基づいて、機器の機器情報を決定する。その際に、設計情報生成部２３１は、図１２に示す機器４２９−１〜４２９−３のように、異なる形状を用いて、各機器を表示しても良い。
【００７５】
図１３は、構成定義確認用枠４３０の一例を示す図である。図１３においては、構成定義情報４３１においては、製品毎の構成定義情報４３１、４３２を含む。
【００７６】
図１４は、ネットワーク内の役割を選択するための、設定画面の一例を示す図である。具体的には、図１４に示す設計材料選択枠４３３は、ネットワーク内の役割の候補を含む。例えば、ネットワーク内の役割として、「ルータ」が選択されたとする。その場合、図１４に示すように、設計情報生成部２３１は、ルータのメーカ、機器名の候補を、設計材料選択枠４３３に表示する。なお、その場合、支援装置記憶部２２０は、ネットワーク内の役割を定義する情報を、機器情報に含めて、当該機器情報を記憶するものとする。
【００７７】
そして、図１４に示すように、設計情報生成部２３１は、設計材料選択枠４３３における設定内容に基づいて、設計対象のモデル画像（図１４の場合、「製品Ａ」を示す直方体の画像）をネットワーク設計図描画用枠４３４に表示する。
【００７８】
図１５は、設計対象のモデル画像を配置した、ネットワーク設計図描画用枠４３５の一例を示す図である。図１５の場合、ネットワーク設計図描画用枠４３５に、製品Ａ（４３６）、製品Ｂ（４３７）、製品Ｃ（４３８）が配置されている。
【００７９】
そして、ユーザは、操作装置２１を用いて、ネットワーク設計図描画用枠４３５に表示される機器の接続関係を設定しても良い。設計情報生成部２３１は、ユーザの操作に基づいて、機器の接続関係を設定する。
【００８０】
例えば、図１５は、ユーザの操作に基づいて、製品Ａ（４３６）と、製品Ｂ（４３７）とを接続する操作の一例を示す。具体的には、ユーザが、ネットワーク設計図描画用枠４３５上で、製品Ａ（４３６）を起点とする線を、製品Ｂ（４３７）に向ける操作を行ったとする。その場合、設計情報生成部２３１は、製品Ａ（４３６）から製品Ｂ（４３７）に向かう線を表示する。
【００８１】
そして、ユーザが、ネットワーク設計図描画用枠４３５上で、製品Ａ（４３６）を起点とする線を、製品Ｂ（４３７）に到達させたとする。その場合、設計情報生成部２３１は、製品Ａ（４３６）と製品Ｂ（４３７）とを接続する、接続関係を生成する。
【００８２】
図１６、図１７は、機器の機器情報等を設定するための、設定画面４４０、４４１の一例を示す図である。図１６に示す設定画面４４０は、ホスト名の設定欄等を含む。また、図１７に示す設定画面４４１は、機器構成の設定欄等を含む。
【００８３】
なお、上記したネットワーク設計図の作成の説明においては、設計情報生成部２３１が、各条件を設定後に、当該条件を満たす被設定機器３を選択する処理を例示して説明した。しかし、これは、ネットワーク設計図の作成において、処理の順序を限定する趣旨ではない。例えば、２以上の条件を設定後に、設計情報生成部２３１は、当該条件を満たす被設定機器３を選択しても良いことは勿論である。また、本実施形態に係るネットワーク設計図作成ツールにおいて、ユーザは、任意のタイミングで、条件設定、機器の接続関係の設定等を行っても良いことは勿論である。
【００８４】
また、設計情報生成部２３１は、ネットワーク設計図作成ツールにおいて、設定内容に不備がある場合には、ワーニングメッセージ等を、表示装置２２に表示させても良い。つまり、ネットワーク設計図作成ツールは、ネットワーク設計図の作成に必要な機能を備えることは勿論である。また、ネットワーク設計図作成ツールは、ネットワークに関する知識の乏しいユーザであっても、ネットワークを設計できるように、適宜、必要な機能を有することは勿論である。
【００８５】
また、設計情報生成部２３１は、ネットワーク設計ツール上で、機器の種別、回線の種別等に応じて、表示する色等を変更しても良いことは勿論である。また、本書に添付する図面は、ネットワーク設計図作成ツールのＧＵＩ（Graphical User Interface）を限定する趣旨ではなく、本書に添付する図面とは異なるＧＵＩであっても良いことは勿論である。
【００８６】
次に、被設定機器３の内部構成について、詳細に説明する。
【００８７】
図１８は、被設定機器３の内部構成の一例を示す図である。被設定機器３は、機器通信部３１０と、機器制御部３２０と、を含んで構成される。図１８は、本実施形態に係る被設定機器３に関係するモジュールを主に記載する。
【００８８】
図１８に示す各モジュールは、被設定機器３に搭載されたコンピュータに、そのハードウェアを用いて、被設定機器３の処理を実行させるコンピュータプログラムにより実現しても良い。
【００８９】
機器通信部３１０は、通信処理を制御する。具体的には、機器通信部３１０は、機器認識要求、構成定義情報等を受信する処理を制御する。また、機器通信部３１０は、応答情報、設定完了通知等を送信する処理を制御する。なお、以下の説明では、簡素化して、「機器制御部３２０が、機器通信部３１０を介して信号を送信する」ことを、「機器制御部３２０が信号を送信する」と記載する。
【００９０】
機器制御部３２０は、被設定機器３の全体を制御する。具体的には、機器制御部３２０は、応答情報、設定完了通知を生成する。また、機器通信部３１０が、設計支援装置２から送信された構成定義情報が、自機器に対する構成定義情報である場合に、自機器に構成定義情報を適用する。
【００９１】
図１９は、設計支援装置４５０と、被設定機器４５４〜４５７とを、ＲＳ２３２Ｃコネクタを介したシリアル接続の一例を示す図である。図１９において、コンピュータ装置４５１と、シリアル接続分配治具（ＲＳ２３２Ｃコネクタ治具）４５２と、シリアル接続分配治具（ＲＳ２３２Ｃコネクタ治具）４５３を含んで構成される。
【００９２】
シリアル接続分配治具４５２、４５３は、コンピュータ装置４５１からのシリアル接続を分配するための治具である。シリアル接続分配治具４５２、４５３は、所謂、分配機、セレクタ等であっても良い。そして、図１９において、シリアル接続分配治具４５２は、通信用ポート４６０〜４６３を備える。また、シリアル接続分配治具４５３は、通信用ポート４６４〜４６７を備える。被設定機器４５４は、通信用ポート４６８を備える。被設定機器４５５は、通信用ポート４６９を備える、また、被設定機器４５６は、通信用ポート４７０を備える。被設定機器４５７は、通信用ポート４７１を備える。
【００９３】
シリアル接続分配治具は、１又は２以上のＩＮポート、２以上のＯＵＴポートを備えることが好ましい。例えば、図１９の場合、シリアル接続分配治具４５２、４５３は、夫々、１つのＩＮポートと、３つのＯＵＴポートを備える。具体的には、図１９の場合、通信用ポート４６０、４６４は、ＩＮポートとして機能する。また、通信用ポート４６１〜４６３、４６５〜４６７は、ＯＵＴポートとして機能する。そして、シリアル接続分配治具４５２、４５３は、物理的（機械的）な切替スイッチ（ボタン）、又はソフトウェア（システム）的にＯＵＴポートを選択できることが好ましい。なお、シリアル接続分配治具４５２、４５３は、ＯＵＴポートを選択できれば、その選択手段は問わない。
【００９４】
そして、図１９の場合、被設定機器４５４、４５５は、シリアル接続分配治具４５２を介して、コンピュータ装置４５１と接続する。また、被設定機器４５５、４５６は、シリアル接続分配治具４５２、４５３を介して、コンピュータ装置４５１と接続する。
【００９５】
次に、ネットワークシステム１の動作について説明する。
【００９６】
図２０は、設計情報の生成に関連する処理の一例を示すフローチャートである。
【００９７】
ステップＳ１において、設計情報生成部２３１は、ネットワーク設計情報を生成する。具体的には、設計情報生成部２３１は、ユーザの操作に基づいて、ネットワーク設計情報を生成する。
【００９８】
ステップＳ２において、構成定義情報生成部２３２は、ネットワーク設計情報に基づいて、各被設定機器３に対応する、構成定義情報を生成する。
【００９９】
ステップＳ３において、機器認識部２３３は、ネットワーク設計情報に基づいて、各被設定機器のホップ数を算出する。
【０１００】
次に、ユーザがネットワーク設計図を作成後に行う作業について説明する。つまり、設計情報生成部２３１が設計情報を生成後に、ユーザが行う作業について説明する。
【０１０１】
ユーザは、ネットワーク設計図に基づいて、インターフェースケーブルを用いて、拠点間、拠点内の各被設定機器３を結線する。そして、ネットワーク機器（本実施形態に係る被設定機器３）において、Ｔｅｌｎｅｔ接続を行うためには、専用の構成定義情報を、予め設定しておく必要がある。ネットワーク機器において、Ｔｅｌｎｅｔ接続による正規ログインをするためには、シリアル接続の正規ログインを行い、予め、各ネットワーク機器に対して、個別の設定が必要である。
【０１０２】
例えば、拠点間ネットワークの構築時に、２以上のネットワーク機器へのログインを、同時に実行する場合を考える。その場合、シリアル接続の分配治具が必要となる。しかし、都市間を結ぶような長距離の拠点間ネットワークの場合、１拠点の操作端末から、他の拠点のネットワーク機器に対してシリアル接続することは不可能である。そのため、異なる拠点のネットワーク機器に、同時にログインするためには、操作端末と操作者とが、各拠点において必要となる。
【０１０３】
そこで、本実施形態に係るネットワークシステム１においては、設計支援装置２が、ネットワーク設計情報に基づいて、１又は２以上の各被設定機器３に、構成定義情報を適用する。
【０１０４】
ところで、ネットワーク運用管理まで意識したネットワークを設計する場合、運用管理回線と、通信回線とを兼用することが好ましい。そして、１本のケーブルが、運用管理回線と、通信回線とを兼用することで、ケーブル本数を削減できる。
【０１０５】
以下、図２１、及び図２２を参照し、運用管理回線と、通信回線とを兼用することについて説明する。
【０１０６】
まず、図２１は、運用管理回線と、通信回線とが異なる場合の一例を示す図である。具体的には、図２１は、設計支援装置４８０と、被設定機器４８１、４８２との接続関係の一例を示す。そして、図２１において、被設定機器４８１は、ポート４８４〜４８６を備える。被設定機器４８２は、ポート４８７〜４９０を備える。
【０１０７】
被設定機器４８１のポート４８４は、Ｔｅｌｎｅｔ回線４８３を介して、設計支援装置４８０と接続する。そして、被設定機器４８１は、運用管理回線４９１及び通信回線４９２を介して、被設定機器４８２と接続する。
【０１０８】
具体的には、被設定機器４８１のポート４８５は、運用管理回線４９１を介して、被設定機器４８２のポート４８７と接続する。また、被設定機器４８１のポート４８６は、通信回線４９２を介して、被設定機器４８２のポート４９０と接続する。
【０１０９】
また、被設定機器４８２のポート４８８は、運用管理回線４９４を介して、他の機器（図示せず）と接続する。また、被設定機器４８２のポート４８９は、通信回線４９３を介して、他の機器（図示せず）と接続する。
【０１１０】
次に、図２２は、運用管理回線と、通信回線とを兼用する場合の一例を示す図である。図２２は、設計支援装置５００と、被設定機器５０１、５０２との接続関係の一例を示す。図２２において、被設定機器５０１は、ポート５０３、５０４を備える。被設定機５０２は、ポート５０５、５０６を備える。
【０１１１】
被設定機器５０１のポート５０３は、Ｔｅｌｎｅｔ回線５０７を介して、設計支援装置５００と接続する。被設定機器５０１のポート５０４は、運用管理兼通信回線５０８を介して、被設定機器５０２のポート５０５と接続する。また、被設定機器５０２のポート５０６は、運用管理兼通信回線５０９を介して、他の機器（図示せず）と接続する。
【０１１２】
このように、運用管理回線用ポートと、通信管理回線用ポートとが同一である場合、運用管理回線用のポートと、通信管理回線用ポートとが異なる場合より、少ないポート数で、被設定機器３を接続できる。
【０１１３】
以下、各被設定機器に構成定義情報を適用する処理について、詳細に説明する。ここで、図２０に示すステップＳ１〜Ｓ３の処理は終了しているものとする。また、設計支援装置２及び各被設定機器３は、夫々、結線されているものとする。
【０１１４】
まず、図２３を参照しながら、機器認識要求を送信する処理について説明する。
【０１１５】
例えば、支援装置制御部２３０は、ネットワーク設計図作成ツールにおいて、「構成定義の適用」メニュー等を表示しても良い。そして、ユーザが、ネットワーク設計図作成ツールにおいて、「構成定義の適用」メニューを選択した場合、支援装置制御部２３０は、各被設定機器に構成定義情報を適用する処理を開始しても良い。
【０１１６】
まず、ステップＳ１１において、機器認識部２３３は、設定対象の被設定機器３のホップ数を決定する。ステップＳ１２において、機器認識部２３３は、設定支援装置２のＭＡＣアドレスと、決定したホップ数とを付与した機器認識要求を生成する。ステップＳ１３において、機器認識部２３３は、被設定機器３に機器認識要求を送信する。そして、ステップＳ１４において、被設定機器３は、機器認識要求を受信する。
【０１１７】
ステップＳ１５において、機器認識要求に付与されたホップ数が０であるか否かを、機器制御部３２０は判断する。受信した機器認識要求に付与されたホップ数が０である場合（ステップＳ１５のＹｅｓ分岐）には、機器制御部３２０は、自機器に対する機器認識要求であると判断する。その場合、機器制御部３２０は、応答情報を生成する（ステップＳ１６）。そして、応答情報を生成した、被設定機器３の機器制御部３２０は、機器認識要求の送信元の被設定機器３に、応答情報を送信する（ステップＳ１７）。
【０１１８】
一方、機器制御部３２０は、受信した機器認識要求に付与されたホップ数が０ではない場合（ステップＳ１５のＮｏ分岐）には、機器制御部３２０は、自機器に対する機器認識要求ではないと判断する。その場合、機器制御部３２０は、１つ削減したホップ数を、機器認識要求に付与し、接続する被設定機器３に機器認識要求を送信する（ステップＳ１８）。
【０１１９】
具体的には、機器制御部３２０は、受信した機器認識要求に付与されたホップ数から、ホップ数を１つ削減し、当該機器認識要求に付与する。そして、機器制御部３２０は、当該機器認識要求を、１以上の被設定機器３を介さずに、接続可能である被設定機器３に送信する。なお、以下の説明では「１以上の被設定機器を介さずに、接続可能である被設定機器３」を、説明のため、「隣接する被設定機器３」と呼ぶ。
【０１２０】
ただし、機器認識要求を受信した被設定機器３において、隣接する被設定機器が存在しない場合、当該被設定機器３の機器通信部３１０は受信した機器認識要求を廃棄する。
【０１２１】
また、機器通信部３１０が２以上の機器認識要求を受信した場合、機器制御部３２０は、所定の条件に基づいて、採用する機器認識要求を決定する。そして、機器通信部３１０は、採用しない機器認識要求を廃棄する。例えば、機器制御部３２０は、機器認識要求を受信したポート番号、当該ポートのＭＡＣアドレス、各機器認識要求の送信元である、被設定機器３のＭＡＣアドレス等に基づいて、採用する機器認識要求を決定しても良い。
【０１２２】
次に、図２４を参照しながら、被設定機器３が応答情報を受信した場合の動作について説明する。
【０１２３】
ステップ２１において、応答情報を受信したか否かを、機器制御部３２０は判断する。応答情報を受信した場合（ステップＳ２１のＹｅｓ分岐）には、ステップＳ２２に遷移する。一方、応答情報を受信していない場合（ステップＳ２１のＮｏ分岐）には機器制御部３２０は、応答情報に関する処理を行う必要はない。
【０１２４】
ステップＳ２２において、機器制御部３２０は、応答情報の送信先を特定する。具体的には、応答情報を受信した、被設定機器３の機器制御部３２０は、機器認識要求の送信元の被設定機器３を、応答情報の送信先として特定する。そして、ステップＳ２３において、機器制御部３２０は、特定された送信先に応答情報を送信する。このように、被設定機器３は、機器認識要求の送信経路と同じ被設定機器３を介して、設計支援装置２に応答情報を送信する。
【０１２５】
次に、図２５を参照しながら、設定支援装置２が応答情報を受信した場合の動作について説明する。なお、図２５に示す処理は、図２３に示すステップＳ１３の処理後の処理であるとする。
【０１２６】
ステップＳ３１において、応答情報を受信したか否かを、機器認識部２３３は判断する。応答情報を受信した場合（ステップＳ３１のＹｅｓ分岐）には、機器認識部２３３は、応答情報を解析する。そして、機器認識部２３３は、応答情報の解析結果に基づいて、構成定義情報の設定対象とする、被設定機器を特定する（ステップＳ３３）。
【０１２７】
次に、図２６を参照しながら、被設定機器に構成適宜情報を適用する処理について説明する。なお、以下の説明において、設計支援装置２は、設定対象の被設定機器３から、応答情報を受信済みであるものとする。
【０１２８】
ステップＳ１０１において、構成定義情報設定部２３４は、機器認識部２３３によって特定された被設定機器３に、当該被設定機器３に対応する構成定義情報を送信する。そして、機器通信部３１０は、構成定義情報を受信する（ステップＳ１０２）。そして、機器制御部３２０は、構成定義情報を適用する（ステップＳ１０３）。
【０１２９】
具体的には、機器制御部３２０は、構成定義情報において指定された設定コマンドを実行しても良い。または、機器制御部３２０は、構成定義情報において指定されたパラメータを、構成定義情報において指定された数値に設定しても良い。例えば、自機器に割り振られたＩＰ（Internet Protocol）アドレスを用いて、Ｔｅｌｎｅｔ接続を介して、ログイン可能な状態となるように、機器制御部３２０は、構成定期情報を適用しても良い。
【０１３０】
例えば、構成定義情報が、ログインに必要である、ポートの設定に関する情報を含むとする。その場合、機器制御部３２０は、対象のポートに、構成定義情報において指定されるパラメータ等を設定する。そして、機器制御部３２０は、構成定義情報を適用することで、正規ログインが可能となるように、ポート等を設定することが好ましい。
【０１３１】
そして、機器制御部３２０は、設定完了通知を生成する。そして、ステップＳ１０４において、機器制御部３２０は、構成定義情報の送信経路を遡る経路で、設定完了通知を設計支援装置２に送信する。ステップＳ１０５において、支援装置通信部２１０は、設定完了通知を受信する。
【０１３２】
ステップＳ１０６において、構成定義情報設定部２３４は、構成定義情報を適用した被設定機器を、設定完了した機器として、支援装置記憶部２２０に記憶させる。そして、設計支援装置２は、ネットワーク設計情報に含まれる、全ての被設定機器３に対して、構成定義情報を適用することが好ましい。そこで、図２３に示すステップＳ１１に戻り、処理を継続することが好ましい。
【０１３３】
なお、機器制御部３２０は、送信元への応答情報等の転送を防止することが好ましい。そこで、機器制御部３２０は、機器認識要求、応答情報、構成定義情報、設定完了通知等を送信する場合、機器認識要求、応答情報、構成定義情報、設定完了通知等に、自機器のＭＡＣアドレスを、さらに付与しても良い。
【０１３４】
そして、機器通信部３１０が応答情報等を受信した場合、自機器のＭＡＣアドレスが、受信した応答情報等に付与されているか否かを、機器制御部３２０は判断しても良い。そして、自機器のＭＡＣアドレスが、受信した応答情報等に付与されている場合には、機器通信部３１０は、受信した応答情報を廃棄しても良い。一方、自機器のＭＡＣアドレスが、受信した応答情報等に付与されていない場合には、上記の通り、隣接する被設定機器３等に送信する。
【０１３５】
次に、図２７を参照しながら、被設定機器を特定する処理、及び構成定義情報を設定する処理の一例について説明する。
【０１３６】
図２７に示すネットワークシステム１は、運用管理と通信回線とが兼用されているものとする。つまり、図２７に示すネットワークシステム１は、設計支援装置６００、及び各被設定機器６０１〜６０６を接続する、運用管理兼通信回線を介して接続するものとする。なお、以下の説明においては、設計支援装置６００、及び各被設定機器６０１〜６０６を接続する、運用管理兼通信回線を、簡素化して、「回線」と呼ぶ。
【０１３７】
図２７は、設計支援装置６００と、被設定機器６０１〜６０６とを含んで構成される。
被設定機器６０１は、ポート６１１、６１２を備える。被設定機器６０２は、ポート６１３〜６１６を備える。被設定機器６０３は、ポート６１７〜６２０を備える。被設定機器６０４は、ポート６２１、６２２を備える。被設定機器６０５は、ポート６２３、６２４を備える。被設定機器６０６は、ポート６２５、６２６を備える。なお、図２７においては、説明を簡略化するため、被設定機器６０１〜６０６との接続に関連する通信ポート（ポート）のみを図示している。
【０１３８】
被設定機器６０１のポート６１１は、設計支援装置６００と、回線６５０を介して接続する。被設定機器６０１のポート６１２は、回線６５１を介して、被設定機器６０２のポート６１３に接続する。
【０１３９】
被設定機器６０２のポート６１４は、回線６５２を介して、被設定機器６０３のポート６１７に接続する。被設定機器６０２のポート６１５は、回線６５３を介して、被設定機器６０４のポート６２１に接続する。被設定機器６０２のポート６１６は、回線６５４を介して、被設定機器６０５のポート６２３に接続する。被設定機器６０４のポート６２２は、回線６５５を介して、被設定機器６０６のポート６２５に接続する。被設定機器６０５のポート６２４は、回線６５６を介して、被設定機器６０６のポート６２６に接続する。
【０１４０】
従って、図２７に示す通り、設計支援装置６００を起点として、被設定機器６０１のホップ数は１である。また、図２７に示す通り、設計支援装置６００を起点として、被設定機器６０２のホップ数は２である。また、図２７に示す通り、設計支援装置６００を起点として、被設定機器６０３〜６０５のホップ数は３である。また、図２７に示す通り、設計支援装置６００を起点として、被設定機器６０６のホップ数は４である。
【０１４１】
ここで、機器認識部２３３は、ホップ数の大きい被設定機器ほど、先に特定し、構成定義情報を設定する。
【０１４２】
その場合、まず、機器認識部２３３は、ホップ数４の被設定機器６０６に対して、機器認識要求を送信する。そして、以下の経路Ｐ０１〜Ｐ０３に示す被設定機器を介して、機器認識要求は送信される。
・経路Ｐ０１：被設定機器６０１、被設定機器６０２、被設定機器６０３
・経路Ｐ０２：被設定機器６０１、被設定機器６０２、被被設定機器６０４、被設定機器６０６
・経路Ｐ０３：被設定機器６０１、被設定機器６０２、被被設定機器６０５、被設定機器６０６
【０１４３】
上記の経路Ｐ０１の場合、被設定機器６０３は、隣接する機器が存在しない。つまり、被設定機器６０３においては、機器認識要求の転送先が存在しない。そのため、被設定機器６０３の機器通信部３１０は、受信した機器認識要求を廃棄する。
【０１４４】
また、上記の通り、被設定機器６０６の機器通信部３１０は、経路Ｐ０２、及び経路Ｐ０３を介して、機器認識要求を受信する。そのため、被設定機器６０６の機器制御部３２０は、所定の条件に基づいて、採用する機器認識要求を決定する。
【０１４５】
例えば、機器制御部３２０は、機器認識要求を受信したポート番号が小さいほど、当該機器認識要求を優先するとする。そして、図２７に示すネットワークシステム１において、ポート６２５のポート番号が、ポート６２６のポート番号より小さいとする。その場合、機器制御部３２０は、経路Ｐ０２を介して受信した機器認識要求を採用する。そして、機器通信部３１０は、経路Ｐ０３を介して受信した機器認識要求を廃棄する。
【０１４６】
そして、被設定機器６０６の機器制御部３２０は応答情報を生成する。そして、応答情報は、経路Ｐ０２を遡る経路で設計支援装置６００に送信される。具体的には、応答情報は、被設定機器６０６、被設定機器６０４、被設定機器６０２、被設定機器６０１、被設定機器６００の順に送信される。
【０１４７】
そして、設計支援装置６００の機器認識部２３３は、受信した応答情報を解析し、設定対象の機器を、被設定機器６０６であると特定する。そして、設計支援装置６００の構成定義情報設定部２３４は、被設定機器６０６に対して、構成定義情報を送信する。そして、構成定義情報は、経路Ｐ０２を介して、被設定機器６０６に送信される。
【０１４８】
そして、被設定機器６０６の機器通信部３１０が構成定義情報を受信したとする。その場合、被設定機器６０６の機器制御部３２０は、構成定義情報を適用する。そして、被設定機器６０６の機器制御部３２０は、設定完了通知を設計支援装置６００に対して送信する。その場合、設定完了通知は、経路Ｐ０２を遡る経路で設計支援装置６００に送信される。具体的には、設定完了通知は、被設定機器６０６、被設定機器６０４、被設定機器６０２、被設定機器６０１、設計支援装置６００の順に送信される。
【０１４９】
そして、設計支援装置６００の支援装置通信部２１０が、被設定機器６０６から設定完了通知を受信したとする。その場合、設計支援装置６００の構成定義情報設定部２３４は、被設定機器６０６を、設定完了した機器であると判断する。
【０１５０】
次に、ホップ数３の被設定機器に対して、構成定義情報を送信する処理について説明する。
【０１５１】
図２７に示すネットワークシステム１の場合、ホップ数３の被設定機器は、被設定機器６０３、被設定機器６０４、被設定機器６０５である。そのため、設計支援装置６００の機器認識部２３３が、ホップ数３を付与した、機器認識要求を送信した場合、被設定機器６０３、被設定機器６０４、被設定機器６０５が、機器認識要求を受信する。
【０１５２】
そして、機器認識要求を受信した被設定機器６０３、被設定機器６０４、被設定機器６０５は、夫々、応答情報を生成し、当該応答情報を設計支援装置３に送信する。
【０１５３】
その結果、設計支援装置６００の支援装置通信部２１０は、被設定機器６０３、被設定機器６０４、被設定機器６０５から、夫々、応答情報を受信する。
【０１５４】
このように、２以上の被設定機器から応答情報を受信した場合、構成定義情報設定部２３４は、構成定義情報を送信する順序を決定する。
【０１５５】
例えば、設計支援装置６００の構成定義情報設定部２３４は、機器認識要求を受信するポート番号の小さい機器ほど、優先するとする。そして、ホップ数３の被設定機器においては、ポート番号の昇順は、被設定機器６０３のポート６１７  ＜  被設定機器６０４のポート６２１  ＜  被設定機器６０５のポート６２３であるとする。
【０１５６】
その場合、ホップ数３の被設定機器に関して、設計支援装置６００の構成定義情報設定部２３４は、被設定機器６０３、被設定機器６０４、被設定機器６０５の順に、構成定義情報を送信する。また、機器認識要求を受信する、２以上のポートのポート番号が同一であるとする。その場合、設計支援装置６００の構成定義情報設定部２３４は、ＭＡＣアドレスが小さい被設定機器ほど優先して、構成定義情報を送信しても良い。
【０１５７】
つまり、設計支援装置６００の構成定義情報設定部２３４は、被設定機器６０３に構成定義情報を送信する。そして、設計支援装置６００の支援装置通信部２１０が、被設定機器６０３から設定完了通知を受信後、設計支援装置６００の構成定義情報設定部２３４は、被設定機器６０４に構成定義情報を送信する。そして、設計支援装置６００の支援装置通信部２１０が、被設定機器６０４から設定完了通知を受信後、設計支援装置６００の構成定義情報設定部２３４は、被設定機器６０５に構成定義情報を送信する。なお、処理の詳細は、ホップ数４の場合と同様であるため、詳細な説明は省略する。
【０１５８】
同様に、設計支援装置６００は、ホップ数２の被設定機器６０２、ホップ数１の被設定機器６０１の順に、認識し、構成定義情報を送信する。
【０１５９】
その結果、図２７に示すネットワークシステム１の場合、被設定機器６０６、被設定機器６０３、被設定機器６０４、被設定機器６０５、被設定機器６０２、被設定機器６０１の順に、構成定義情報が設定される。
【０１６０】
例えば、構成定義情報が、ログインに必要な情報を含むとする。その場合、被設定機器６０２〜６０６が構成定義情報を設定後、被設定機器６０２〜６０６の各ポートは、ログイン可能な状態となる。その結果、設計支援装置６００は、被設定機器６０２〜６０６に、夫々割り振られたＩＰアドレスを用いて、被設定機器６０２〜６０６に対して、ログイン可能な状態となる。
【０１６１】
次に、設計対象とする拠点間に、設計対象外のネットワークが存在する場合について説明する。なお、設計対象の拠点とは、上述の処理を用いて、構成定義情報を適用可能である被設定機器３を含む拠点を意味する。一方、設計対象外のネットワークとは、上述の処理を用いて、構成定義情報を適用できないネットワークであることを意味する。
【０１６２】
まず、設計対象外のネットワークが、Ｌ２（layer 2）ネットワークである場合について説明する。
【０１６３】
図２８は、設計対象外のＬ２ネットワーク７０３を挟んで、設計対象とする拠点７０１、７０２が存在する、ネットワークの一例を示す図である。そして、拠点７０２は、設計対象の被設定機器７１０を含む。
【０１６４】
その場合、図２８に示す設計支援装置７００は、拠点７００内の被設定機器（図示せず）、及び被設定機器７１０を含む拠点７０２内の被設定機器（図示せず）に、夫々、構成定義情報を送信する。図２８に示すように、設計対象外のネットワークが、Ｌ２ネットワークである場合、設計支援装置７００は、当該Ｌ２ネットワークを意識する必要がない。
【０１６５】
次に、設計対象外のネットワークが、Ｌ３（Layer 3）ネットワークである場合について説明する。
【０１６６】
図２９は、設計対象外のＬ３ネットワーク８０３を挟んで、設計対象とする拠点８０１、８０２が存在する、ネットワークの一例を示す図である。そして、拠点８０１は、Ｌ３機器８１０を含む。また、拠点８０２は、Ｌ３機器８１１、及び被設定機器８１２を含む。
【０１６７】
その場合、まず、設計対象の拠点８０１、８０２、夫々において、予め、構成定義情報が適用されていることが必要である。そして、Ｌ３機器８１０、８１１において、Ｅｔｈｅｒ  Ｏｖｅｒ  ＩＰが適用されていることが必要である。その場合、拠点８０１、８０２間で、プロトコルの送受信が可能となる。拠点８０１、８０２間で、プロトコルの送受信が可能となった場合、設計支援装置８００から、拠点８０２の被設定機器８１２に対して、構成定義情報を送信できる。なお、設計対象とする拠点間に、設計対象外のネットワークが存在する場合、各拠点において、夫々、異なる設計支援装置２を用いて、各拠点の被設定機器に対して、構成定義情報の送信等を実行しても良いことは勿論である。
【０１６８】
［変形例１］
本実施形態に係る設計支援装置２の変形例１として、支援装置記憶部２２０は、自社製品、及び／又は他社製品の構成定義言語、設定コマンド、設定パラメータ等を記憶しても良い。例えば、ユーザは、他社製品の製品マニュアル等に基づいて、当該他社製品の構成定義言語、設定コマンド、設定パラメータ等を、支援装置記憶部２２０に登録しても良い。そして、設計情報生成部２３１は、ネットワーク設計図作成ツールにおいて、登録された自社製品、及び／又は他社製品を、被設定機器３の候補として提示しても良い。また、設計情報生成部２３１は、構成定義条件に基づいて、自社製品、／又は他社製品を選択しても良いことは勿論である。また、ユーザは、構成定義言語、設定コマンド、設定パラメータ等を、当該他社製品のメーカ等から、提供されても良いことは勿論である。
【０１６９】
［変形例２］
本実施形態に係る設計支援装置２の変形例２として、設計情報生成部２３１は、ネットワーク設計図作成ツールにおいて、所定の条件を満たす機器を、優先的に提示しても良い、例えば、設計情報生成部２３１は、ネットワーク設計図作成ツールにおいて、「自社製品のみ」、「販売開始時期が１年以内」等、条件を選択可能としても良い。そして、ユーザが、ネットワーク設計図作成ツールにおいて、「自社製品のみ」、「販売開始時期が１年以内」等を選択した場合、設計情報生成部２３１は、選択された条件を満たす機器を提示する。
【０１７０】
以上のように、本実施形態に係る設計支援装置２は、通信可能である所定の機器に対して、各機器に対応する構成定義情報を適用する。そのため、ユーザが、ネットワークに関する知識が乏しい場合であっても、本実施形態に係る設計支援装置２を用いることで、容易に機器（ネットワーク機器）を適用できる。従って、本実施形態に係る設計支援装置２は、ネットワークにおいて、機器の運用管理を容易にすることに貢献する。
【０１７１】
また、本実施形態に係る設計支援装置２は、ユーザの操作に基づいて、各機器の接続関係を設定し、接続関係、機器情報に基づいて、選択された機器の構成定義情報を生成する。そのため、ユーザが、ネットワークに関する知識が乏しい場合であっても、本実施形態に係る設計支援装置２を用いることで、各機器の構成定義情報を取得できる。そして、上述の通り、本実施形態に係る設計支援装置２は、生成された構成定義情報を、各機器に適用できる。従って、本実施形態に係る設計支援装置２は、ネットワーク設計を容易にすることに貢献する。
【０１７２】
なお、上記した実施形態の説明においては、被設定機器としてネットワーク機器を例示して説明した。しかし、被設定機器が上記した実施形態に係る処理を実現できれば良く、上記した実施形態の説明は、被設定機器をネットワーク機器に限定する趣旨ではない。
【０１７３】
上述の実施形態の一部又は全部は、以下の付記のようにも記載され得るが、以下には限られない。
【０１７４】
（付記１）上記第１の視点に係る設計支援装置の通りである。
【０１７５】
（付記２）前記ネットワーク設計情報に基づいて、前記各設定機器のホップ数を算出し、所定のホップ数の前記被設定機器に機器認識要求を送信し、前記被設定機器から応答情報を受信した場合、当該応答情報に基づいて、当該応答情報の送信元の前記被設定機器を認識する、機器認識部をさらに備える、付記１に記載の設計支援装置。
【０１７６】
（付記３）前記機器認識部は、ホップ数に基づいて、前記各被設定機器の認識順序を決定する、付記２に記載の設計支援装置。
【０１７７】
（付記４）前記機器認識部は、２以上の前記被設定機器のホップ数が同一である場合、当該被設定機器のポート番号、前記被設定機器を識別するための情報の少なくともいずれかに基づいて、前記認識順序を決定する、付記３に記載の設計支援装置。
【０１７８】
（付記５）前記支援装置記憶部は、前記各被設定機器の機器情報をさらに記憶し、ユーザの操作に基づいて、１又は２以上の前記被設定機器の接続関係を決定し、前記接続関係及び前記機器情報に基づいて、前記ネットワーク設計情報を生成する、設計情報生成部をさらに備える、付記１乃至４のいずれか一項に記載の設計支援装置。
【０１７９】
（付記６）前記構成定義情報は、構成定義言語、設定コマンド、設定パラメータの少なくともいずれかを含む、付記１乃至５のいずれか一項に記載の設計支援装置。
【０１８０】
（付記７）上記第２の視点に係るネットワークシステムの通りである。
【０１８１】
（付記８）前記設計支援装置は、所定のホップ数の前記被設定機器に、機器認識要求を送信する、機器認識部をさらに備え、前記機器制御部は、機器通信部が前記機器認識要求を受信した場合、所定のホップ数を満たすか否かを判断し、所定のホップ数である場合、当該機器認識要求の送信元に、応答情報を返信し、所定のホップ数ではない場合、当該被設定機器に接続する被設定機器に、当該機器認識要求を転送する、付記７に記載のネットワークシステム。
【０１８２】
（付記９）前記機器認識部は、前記被設定機器から応答情報を受信した場合、当該応答情報に基づいて、当該応答情報の送信元の前記被設定機器を認識する、付記８に記載のネットワークシステム。
【０１８３】
（付記１０）上記第３の視点に係る設計支援方法の通りである。
【０１８４】
（付記１１）前記ネットワーク設計情報に基づいて、前記各設定機器のホップ数を算出し、所定のホップ数の前記被設定機器に機器認識要求を送信し、前記被設定機器から応答情報を受信した場合、当該応答情報に基づいて、当該応答情報の送信元の前記被設定機器を認識する、機器認識工程をさらに含む、付記１０に記載の設計支援方法。
【０１８５】
（付記１２）前記機器認識工程において、ホップ数に基づいて、前記各被設定機器の認識順序を決定する、付記１１に記載の設計支援方法。
【０１８６】
（付記１３）前記機器認識工程において、２以上の前記被設定機器のホップ数が同一である場合、当該被設定機器のポート番号、前記被設定機器を識別するための情報の少なくともいずれかに基づいて、前記認識順序を決定する、付記１２に記載の設計支援方法。
【０１８７】
（付記１４）前記支援装置記憶工程において、前記各被設定機器の機器情報をさらに記憶し、ユーザの操作に基づいて、１又は２以上の前記被設定機器の接続関係を決定し、前記接続関係及び前記機器情報に基づいて、前記ネットワーク設計情報を生成する、設計情報生成工程をさらに含む、付記１０乃至１３のいずれか一項に記載の設計支援方法。
【０１８８】
（付記１５）上記の第４の視点に係るプログラムの通りである。
【０１８９】
（付記１６）前記ネットワーク設計情報に基づいて、前記各設定機器のホップ数を算出し、所定のホップ数の前記被設定機器を認識する、機器認識工程をさらに実行する、付記１５に記載のプログラム。
【０１９０】
（付記１７）前記機器認識処理において、ホップ数に基づいて、前記各被設定機器の認識順序を決定する、付記１６に記載のプログラム。
【０１９１】
（付記１８）前記機器認識処理において、２以上の前記被設定機器のホップ数が同一である場合、当該被設定機器のポート番号、前記被設定機器を識別するための情報の少なくともいずれかに基づいて、前記認識順序を決定する、付記１７に記載のプログラム。
【０１９２】
（付記１９）前記支援装置記憶処理において、前記各被設定機器の機器情報をさらに記憶し、ユーザの操作に基づいて、１又は２以上の前記被設定機器の接続関係を決定し、前記接続関係及び前記機器情報に基づいて、前記ネットワーク設計情報を生成する、設計情報生成処理をさらに実行する、付記１５乃至１８のいずれか一項に記載のプログラム。
【０１９３】
なお、上記の特許文献の開示を、本書に引用をもって繰り込むものとする。本発明の全開示（請求の範囲を含む）の枠内において、さらにその基本的技術思想に基づいて、実施形態の変更・調整が可能である。また、本発明の全開示の枠内において種々の開示要素（各請求項の各要素、各実施形態の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【０１９４】
１  ネットワークシステム
２、４５０、４８０、５００、６００、７００、８００、１０００  設計支援装置
３、４５４〜４５７、４８１、４８２、５０１、５０２、６０１〜６０６、７１０、８１２  被設定機器
２１  操作装置
２２  表示装置
２１０、１００１  支援装置通信部
２２０、１００２  支援装置記憶部
２３０  支援装置制御部
２３１  設計情報生成部
２３２、１００３  構成定義情報生成部
２３３  機器認識部
２３４、１００４  構成定義情報設定部
３１０  機器通信部
３２０  機器制御部
４００  表示画面
４０１、４１１、４３３  設計材料選択枠
４０２、４１２、４１３、４３４、４３５  ネットワーク設計図描画用枠
４０３、４３０  構成定義確認用枠
４１４  拠点Ａ
４１５  拠点Ｂ
４１６  拠点Ｃ
４１７  拠点Ｄ
４１８〜４２３、４１８−２〜４２３−２、４２９−１〜４２９−３  機器
４２８、４４０、４４１  設定画面
４３１、４３２  構成定義情報
４３６  製品Ａ
４３７  製品Ｂ
４３８  製品Ｃ
４５１  コンピュータ装置
４５２、４５３  シリアル接続分配治具
４６０〜４７１  通信用ポート
４８４〜４９０、５０３〜５０６、６１１〜６２６  ポート
４９１、４９４  運用管理回線
４９２、４９３  通信回線
４８３、５０７  Ｔｅｌｎｅｔ回線
５０８、５０９  運用管理兼通信回線
６５０〜６５６  回線
７０１、７０２、８０１、８０２  拠点
７０３  Ｌ２ネットワーク
８０３  Ｌ３ネットワーク
８１０、８１１  Ｌ３機器
１０２１  ネットワーク設計情報
１０２２  構成定義言語
【図１】
2016029535.tif 000003
【図２】
2016029535.tif 000004
【図３】
2016029535.tif 000005
【図４】
2016029535.tif 000006
【図５】
2016029535.tif 000007
【図６】
2016029535.tif 000008
【図７】
2016029535.tif 000009
【図８】
2016029535.tif 000010
【図９】
2016029535.tif 000011
【図１０】
2016029535.tif 000012
【図１１】
2016029535.tif 000013
【図１２】
2016029535.tif 000014
【図１３】
2016029535.tif 000015
【図１４】
2016029535.tif 000016
【図１５】
2016029535.tif 000017
【図１６】
2016029535.tif 000018
【図１７】
2016029535.tif 000019
【図１８】
2016029535.tif 000020
【図１９】
2016029535.tif 000021
【図２０】
2016029535.tif 000022
【図２１】
2016029535.tif 000023
【図２２】
2016029535.tif 000024
【図２３】
2016029535.tif 000025
【図２４】
2016029535.tif 000026
【図２５】
2016029535.tif 000027
【図２６】
2016029535.tif 000028
【図２７】
2016029535.tif 000029
【図２８】
2016029535.tif 000030
【図２９】
2016029535.tif 000031